(57)【要約】  【課題】  処理装置によって処理された液体の特性の変化を速やかに測定することが可能な処理液の測定装置を提供する。  【解決手段】  処理液の測定装置において、処理液室（３）と処理前液室（４）とが中性膜（６）を設けた結合部（５）によって区画されて結合され、処理液室（３）の入口には開閉自在な入口液栓（３２）が設けられ、処理室の出口には開閉自在な出口液栓（３４）が設けられ、また処理前液室（４）の入口には、開閉自在な入口液栓（４２）が設けられ、処理前液室の出口には開閉自在な出口液栓（４４）が設けられ、処理液室には検出電極（１１）が、処理前液室には比較電極（１２）がそれぞれ設けられた測定セル（２）を有し、検出電極と比較電極には電流電圧検出手段（１３）が接続されたことを特徴とする処理液の測定装置。【選択図】  図１
2005221255.tif 000002
【特許請求の範囲】
【請求項１】
処理液の測定装置において、処理液室と処理前液室とが中性膜を設けた結合部によって区画されて結合され、処理液室の入口には開閉自在な入口液栓が設けられ、処理室の出口には開閉自在な出口液栓が設けられ、また処理前液室の入口には、開閉自在な入口液栓が設けられ、処理前液室の出口には開閉自在な出口液栓が設けられ、処理液室には検出電極が、処理前液室には比較電極がそれぞれ設けられた測定セルを有し、検出電極と比較電極には電流電圧検出手段が接続されたことを特徴とする処理液の測定装置。
【請求項２】
測定セルの処理液室の入口液栓よりも処理液室側の配管と、処理前液室の入口液栓よりも処理前液室側の配管とを結合する入口側連通路が設けられており、入口側連通路には、入口側連通路を開閉する入口側連通路開閉栓が設けられており、また処理液室の出口液栓よりも処理液室側の配管と、処理前液室の出口液栓よりも処理前液室側の配管とを結合する出口側連通路が設けられ、出口側連通路には出口側連通路を開閉する出口側連通路開閉栓が設けられたことを特徴とする請求項１記載の処理液の測定装置。
【発明の詳細な説明】
【技術分野】
【０００１】
本発明は、各種の水処理装置等の液体の処理装置において処理された処理前の液体と処理後の液との比較によって、水処理装置等の状態を把握することを可能とする処理液の測定装置に関する。
【背景技術】
【０００２】
水を浄化、あるいは水の改質等に使用する水処理装置としては各種の処理装置が用いられているが、これらの処理装置の運転状況を把握し、動作の異常、あるいは所定の性能が得られていない場合等には、速やかに装置を調整したり、あるいは装置内の処理部材が寿命に達した場合には、速やかに交換することが求められている。
【０００３】
処理水の特性の把握は、処理前および処理後の水を各種の分析手段によって測定し、得られた測定結果から両者を比較することによって実現することが可能であるが、運転中に速やかに、しかも簡単に把握することが求められていた。
【発明の開示】
【発明が解決しようとする課題】
【０００４】
本発明は、水処理装置等において、処理前後の水を処理装置の設置場所等においても、速やかに測定することが可能な測定装置を提供することを課題とするものである。
また、いわゆるその場測定が可能で、処理された液の処理直後の状態を正確に把握することが可能な測定装置を提供することが可能な測定装置を提供することを課題とするものである。
【課題を解決するための手段】
【０００５】
本発明の課題は、処理液の測定装置において、処理液室と処理前液室とが中性膜を設けた結合部によって区画されて結合され、処理液室は処理液の開閉自在な流入口、および開閉自在な流出口を設け、処理前液室には、開閉自在な処理前液の流入口、および開閉自在な流出口を設け、処理液室には検出電極を設け、処理前液室には比較電極を設けた測定セルを有し、検出電極と比較電極には電流電圧検出手段が接続された処理液の測定装置によって解決することができる。
また、測定セルの処理液室の入口液栓よりも処理液室側の配管と、処理前液室の入口液栓よりも処理前液室側の配管とを結合する入口側連通路が設けられており、入口側連通路には、入口側連通路を開閉する入口側連通路開閉栓が設けられており、また処理液室の出口液栓よりも処理液室側の配管と、処理前液室の出口液栓よりも処理前液室側の配管とを結合する出口側連通路が設けられ、出口側連通路には出口側連通路を開閉する出口側連通路開閉栓が設けられた前記の処理液の測定装置である。
【発明の効果】
【０００６】
本発明の処理液の測定装置においては、処理前の液と処理後の液の両者を別個に測定する必要がないので、速やかにしかも簡単に両者の違いを測定することが可能であり、また処理された液を検出電極を配置した処理液室に連続的に導入し、処理液室と中性膜で区画された処理前液室には比較電極を配置し、検出電極と比較電極の間で検出される電圧を測定した場合には、処理前液と比較した検出出力を常に観測することが可能である。
【発明を実施するための最良の形態】
【０００７】
本発明は、中性膜によって区画された測定セルにおいて、処理液された液を、処理前の液を比較液とし、処理液と処理前液に浸漬した検出電極と比較電極で観測される電気化学的な変化を測定することによって、処理された液の処理前液に対する変化を測定することを可能としたものである。
【０００８】
例えば、水道水、地下水等の水の中には様々な化学物質が溶解している。溶解している化学物質としては、気体成分では酸素、窒素、二酸化炭素、主な陽イオンとしてはＣａ2+、Ｎａ+、Ｋａ+を始めとしたもの、陰イオンＯＨ-、ＨＣＯ3-、Ｃｌ-、ＨＳｉＯ3-等が挙げられる。これらのイオンは水中では様々な化学平衡を形成しており、水の活性化装置、改質装置と称される装置の処理前後では、何らかの変化を受けているものと考えられる。
【０００９】
本発明は、こうした水処理装置における処理前後の水の特性の変化、あるいはその他の水の浄化装置等によって処理された水の変化を、処理前の液を比較液として直接に電気化学的な測定セルを用いて測定を行うものである。
【００１０】
以下に図面を参照して本発明を説明する。
図１は、本発明の処理液の測定装置の一実施例を説明する図である。
処理液の測定装置１は、測定セル２を有し、測定セルは、ホウケイ酸ガラス等のガラス材料等によって構成され、処理液室３と処理前液室４は、結合部５によって結合されている。結合部５には、中性膜６が取りつけられており、処理液７が処理前液８と混合することを防止するとともに両室間の電気化学的測定を可能としている。
【００１１】
処理液入口３１には、水処理装置１００の処理液配管１０１に設けたオリフィス１０２の入口側からバイパスした処理液供給用配管１０３が入口液栓３２を介して接続されており、また処理液出口３３には、出口液栓３４を介して処理液戻り配管１０４が結合されており、処理液戻り配管１０４は、オリフィス１０２の出口側におおいて処理液配管に接続されている。
同様に、処理前液室４の処理前液入口４１には入口液栓４２を介して処理前液配管１０５に設けたオリフィス１０６の入口側後からバイパスした処理前液供給用配管１０７が結合され、処理前液出口４３には、出口液栓４４を介して処理前液戻り配管１０８が結合されて処理装置１００の処理前液配管１０５のオリフィス１０６の出口側に結合されている。
【００１２】
処理液室の入口液栓３２よりも処理液室側の配管と、処理前液室の入口液栓４２よりも処理前液室側の配管とを結合する入口側連通路１４が設けられており、入口側連通路１４には、入口側連通路１４を開閉する入口側連通路開閉栓１５が設けられている。
処理液室の出口液栓３４よりも処理液室側の配管と、処理前液室の出口液栓４４よりも処理前液室側の配管とを結合する出口側連通路１６が設けられており、出口側連通路１６には出口側連通路１６を開閉する出口側連通路開閉栓１７が設けられている。
【００１３】
処理液室３には検出電極１１が設けられており、処理前液室４には、比較電極１２が設けられていおり、検出電極１１、および比較電極１２には電圧電流測定手段１３に結合されている。
また、測定セル２に設けた液栓の操作によっての処理液室３あるいは処理前室４へ連続的に供給した測定、あるいはそれぞれの液を静止した状態での測定等が可能となる。
以上の例では、オリフィスの前後に形成される圧力差をを利用して測定セルへの液体の導入について説明したが、ポンプ等を用いて測定セルへ供給しても良いが、オリフィスによる圧力差を利用した場合には、ポンプ等を不要とすることが可能である。
【００１４】
図２は、本発明の測定セルの他の実施例を説明する図である。
処理液の測定装置の測定セル２において、処理液室３と処理前液室４は、結合部５によって結合されている。結合部５には、中性膜６が取りつけられている。中性膜６は、ガラス等からなる多孔性固定部材６Ａおよび６Ｂによって両側から保持する等の方法によって着脱自在に装着することが好ましい。
また、処理液室の入口液栓３１よりも処理液室側の配管と、処理前液室の入口液栓４２よりも処理前液室側の配管とを結合する入口側連通路１４が設けられており、入口側連通路１４には、入口側連通路１４を開閉する入口側連通路開閉栓１５が設けられている。
処理液室の出口液栓３４よりも処理液室側の配管と、処理前液室の出口液栓４４よりも処理前液室側の配管とを結合する出口側連通路１６が設けられており、出口側連通路１６には出口側連通路１６を開閉する出口側連通路開閉栓１７が設けられている。
【００１５】
処理液室の入口液栓３２あるいは処理前室の入口液栓４２のいずれかを開放し、入口側連通路開閉栓１５を開放すると、処理液室３あるいは処理前液室４の両者に処理液または処理前液のいずれか一方を導入することができる。
また、処理液を静止あるいは流動状態での任意の測定が可能である。
処理液室および処理前液室の両室に、処理前液あるいは処理液のいずれかを充填した状態で検出電極１１および比較電極１２を装着して両者の電位差を測定することによって、両電極の特性の相違によるわずかな相違に基づく電位差を測定が可能となる。
その結果、処理液と処理前液との測定によって検出電極と比較電極との間で検出された電位差の測定結果を修正が可能であるのでより正確な測定ができる。
【００１６】
処理液室３および処理前液室４には、温度測定手段５１、５２を設けており、測定時の条件を把握することができる。また、ｐＨセンサー等の他のセンサーを設けても良い。
処理液室あるいは処理前液室に対して、測定セル内の洗浄等の目的で純水、あるいはその他の液を供給する管路を結合しても良い。
【００１７】
本発明の測定セルに装着する中性膜としては、半透膜や測定対象の液体が測定中には混合することがない程度の多孔性を有する膜を用いることができる。具体的には、セルロース系の半透膜、合成樹脂系多孔性膜、セラミック系の多孔性膜を用いることができる。
また、検出電極、比較電極には、測定対象の液体中において電気化学的な特性が安定したものであれば各種のものを用いることが可能であり、白金、金等の貴金属、炭素等の電極を用いることができる。
また、検出電極と比較電極との間の電位差は、入力インピーダンスが大きな電位差計、あるいはＡＤ変換器とコンピュータとを接続して測定しても良い。
以下に実施例を示し本発明を説明する。
【実施例１】
【００１８】
図１に示した外径２５ｍｍ、厚み２．５ｍｍのほうケイ酸ガラスからなる処理液室と処理前液室とを有し、それぞれの入口側および出口側には、外径１２ｍｍのポリテトラフルオロエチレン製プラグを装着した液栓を有し、処理液室と処理前液室とを透析膜（ユニオンカーバイド製  Seamless cellose tubing 36/32）から切り取った直径２０ｍｍの膜を、多孔性ガラス板によって両側を保持して結合部に取り付けた測定セルを作製した。
処理液室および処理前液室には、シリコーンゴム製の栓を用いて、検出電極、比較電極ともに、外径１ｍｍ、接液部の長さ３０ｍｍの白金線を装着した。
【００１９】
水改質装置（都市拡業製  ザ・バイオウォーター１−２−３）の処理前液配管に測定セルへの処理前供給管路を接続して測定セルの処理前液室の入口側と結合した。また、測定セルの処理前液室の出口側の管路を処理前液戻り配管に接続した。
同様に、水改質装置の処理液が出口側の処理液配管には、測定液供給用配管を接続し、測定セルの処理室の入口側と結合した。また、測定セルの出口側に処理液戻り配管を接続し、処理液供給管路と結合した。
【００２０】
温度１７℃、電気伝導度１５ｍＳ／ｍの水道水を、水改質装置（都市拡業製  ザ・バイオウォーター１−２−３）を６リットル／分で通過処理させ、測定セルに結合した液栓を操作して、処理前液室に処理前液を充填した。
次いで、処理液室にも処理前液を断続的に充填して通過させて、検出電極および比較電極の間の電位差を検出し、その結果を図３においてＮで示す。
また、液栓の操作を行って処理液室には改質装置を通過させた処理液を断続的に通液して検出電極および比較電極の間の電位差を検出し、その結果を図３においてＳで示す。
【実施例２】
【００２１】
実施例１において使用した検出電極および比較電極を直径２ｍｍ、接液部の長さ３０ｍｍの炭素棒とした点を除き、実施例１と同様に処理液室にも処理前液を断続的に充填して通過させて、検出電極および比較電極の間の電位差を検出し、その結果を図４においてＮで示す。
また、液栓の操作を行って処理液室には改質装置を通過させた処理液を断続的に通液して検出電極および比較電極の間の電位差を検出し、その結果を図４においてＳで示す。
【産業上の利用可能性】
【００２２】
本発明の処理液の測定装置は、処理液の電気化学的特性を処理前液を基準として測定したので、処理前液と比較した測定結果を直接得ることができるので、処理装置によって得られた処理液の変化を正確に把握することができ、水処理装置の動作状態を正確に把握することが可能となる。
【図面の簡単な説明】
【００２３】
【図１】図１は、本発明の処理液の測定装置の一実施例を説明する図である。
【図２】図２は、本発明の測定セルの他の実施例を説明する図である。
【図３】図３は、本発明の一実施例の測定結果を説明する図である。
【図４】図４は、本発明の測定セルの他の実施例を説明する図である。
【符号の説明】
【００２４】
１…処理液の測定装置、２…測定セル、３…処理液室、４…処理前液室、５…結合部、
６…中性膜、６Ａ，６Ｂ…多孔性固定部材、７…処理液、８…処理前液、１１…検出電極、１２…比較電極、１３…電圧電流測定手段、１４…入口側連通路、１５…入口側連通路開閉栓、１６…出口側連通路、１７…出口側連通路開閉栓、３１…処理液入口、３２…入口液栓、３３…処理液出口、３４…出口液栓、１０４…処理液戻り配管、４１…処理前液入口、４２…入口液栓、４３…処理前液出口、４４…出口液栓、５１，５２…温度測定手段、１００…水処理装置、１０１…処理液配管、１０２…オリフィス、１０３…処理液供給用配管、１０４…処理液戻り配管、１０５…処理前液配管、１０６…オリフィス、１０７…処理前液供給用配管、１０８…処理前液戻り配管
【図１】
2005221255.tif 000003
【図２】
2005221255.tif 000004
【図３】
2005221255.tif 000005
【図４】
2005221255.tif 000006